(57)【要約】【課題】建設現場、柵囲現場で傾斜地その他不安定な地理的条件のもとにあっても、境界パイプ杭打込を人手を介さず単独で、安全、しかも速やかに杭打ちできる工具の開発を課題とする。【解決手段】工具Ｋはパイプ杭の外形より太い内径の円筒形工具本体からなり、上部には所望の重量の蓋状の重りが固着され、持ち運びの為の把手を備え、工具本体左右の上段、中段、下段にそれぞれ支持杆を螺着させる固定ナットを備え、その固定ナット上段、中段、下段の何れかに重りを支着させるための雄螺子を持ち、打込みするパイプ杭上部に被せて単独で容易に打込みさせることを特徴とするパイプ杭打込用工具【選択図】図１
0003130252.tif 000002
【実用新案登録請求の範囲】
【請求項１】
パイプ杭打込用工具に於いて、工具Ｋはパイプ杭の外形より太い内径の円筒形工具本体からなり、上部には所望の重量の蓋状の重りが固着され、持ち運びの為の把手を備え、工具本体左右の上段、中段、下段にそれぞれ支持杆を螺着させる固定ナットを備え、その固定ナット上段、中段、下段の何れかに重りを支着させるための雄螺子を持ち、打込みするパイプ杭上部に被せて単独で容易に打込みさせることを特徴とするパイプ杭打込用工具。
【請求項２】
支持杆表面に弾力性素材からなるカバーを取り付けることを特徴とする請求項１記載のパイプ杭打込用工具。
【請求項３】
固定ナットは工具本体の左右上下三段以上備える事も含むものであることを特徴とする請求項１記載のパイプ杭打込用工具。
【考案の詳細な説明】
【技術分野】
【０００１】  本考案は、建物建設現場、仮囲いの組み立て、根切り工事中の法肩手摺りの設置、安全通路、資材置き場、トイレの目隠し、朝礼看板の設置、傾斜地の手摺り等多くの作業場の仮設をするときのパイプ杭打込に使用する安全ハンマーとしての打込工具に関する。
【背景技術】
【０００２】  従来、上記した建設現場などでよく見かけるパイプ杭打込作業は、打込みパイプを一人が手で支持し、もう一人がハンマーで打込みしている状況を目にするが、これはともするとパイプを支持している人の手を傷つけてしまうことや、ヒヤッとする危険性を常に孕んでいるばかりでなく、マンパワーとして二人で行なわなければならない人的な無駄があり経済効果を望む現代にそぐわない手間である。【０００３】  パイプ杭を地中に打ち込む作業は、平地のみならず、急勾配の斜面に仮囲い、柵のくみたてを行なうなど地理的に危険な場所において複数人で行なうことのロスは多大なものが有る。ましてや長尺のパイプ杭を傾斜地で脚立の上で打込作業する場面を想像するだけで、その危険性を容易に計り知ることが出来る。【０００４】  それらの事情を勘案した上で、従来幾つかの文献を見てみると、登録実用新案第３０９５５４５号には、パイプ杭打込用工具として上部に支柱受け部を、下部にハンマーの叩き台を設けたものが記載されているが、これはハンマーで叩き込む種類のもので熟練している人が行なうのには支障なく叩けるが、やはり大型のハンマーは使用しなければならず足場の悪い傾斜地や不慣れな人が行なうのにはある種の危険性が伴うのを避けることは困難である。【０００５】  ましてや、本考案のパイプ杭打込用工具の如くパイプ杭に被せて上下にスライドさせながら、よそ見をしていても効率的に杭を打ち込むことが出来るような工具の構造を予測させるような記載は全くない。【０００６】  その他、意匠登録第１０６２９５４号があるが、このものは両手で打込み具を持って、パイプ杭の頂部を叩き込むもので不安定さと、パイプを保持する人手を別に要する場合も含まれるから、従来のハンマーを使用するものと大差は無い。これも前記した本考案のパイプ杭打込用工具の構造を窺知させる事項は何も無い。【０００７】  従来、普通に使用されているハンマーの重量は約５ｋｇ程で、地理的条件が悪く、固い地面や傾斜が伴う場所においてパイプ杭を支える人に損傷を与える事故が後を絶たず、工事担当者の中で大事な問題として懸案となっている。前記もしたが、杭立てに人手を要することなく一人で、安全に、しかもスピーディーに杭打が出来る工具の開発がなされるか大いに期待をするところである。
【考案の開示】
【考案が解決しようとする課題】
【０００８】  本考案においては、地理的条件が悪く、固い地面や傾斜が伴う場所においても安全で、しかも複数の人手を要することなく、スピーディーに作業をすることが出来る杭打ち工具の開発を重ね、試行錯誤の上この開発に達したのである。
【課題を解決するための手段】
【０００９】  その手段として、１工具Ｋはパイプ杭の外形より太い内径の円筒形工具本体からなり、上部には所望の重量の蓋状の重りが固着され、持ち運びの為の把手を備え、工具本体左右の上段、中段、下段にそれぞれ支持杆を螺着させる固定ナットを備え、その固定ナット上段、中段、下段の何れかに重りを支着させるための雄螺子を持ち、打込みするパイプ杭上部に被せて単独で容易に打込みさせることを特徴とするパイプ杭打込用工具で、２番目の要素として、支持杆表面に手で握りやすい弾力性素材からなるカバーを取り付けることを特徴とし、３番目の要素として、固定ナットは工具本体の左右上下三段以上備える事も含むものであることを特徴としたパイプ杭打込用工具である。
【考案の効果】
【００１０】  従来は、大体が２人一組で、約５ｋｇほどの重さの大ハンマーで杭を叩き込んでいたので怪我をしたり、危険性と非経済性が拭えなかったが、本考案に係るパイプ杭打込用工具は杭の長さが、下段の支持杆（打込みハンドル）に手が届かない場合は脚立を使用しなければ作業が出来ない場合もあるが、殆どの建設現場、仮囲い、柵の組立場においては何ら、それも必要でなく、支障なく利用できるものである。【００１１】  即ち、打ち込む位置が決まれば、杭を横にしてパイプ杭打込用工具を被せて立ち上げ、支持杆を徐々に上下させながら地面に打ち込んで行くことにより、しかも抗の周囲を打ち手が回ることで垂直に杭打ちすることが出来る。その際、地面が殊更に固い場合などは、上段から下段までの何れかの固定ナットに図１に示すような所望の重量を持つリング状の分銅型をした重りをつける事により、杭打ち作業を楽に出来る。【００１２】  本考案のパイプ杭打込用工具を使用する事によって、脚立上からの墜落や転落などを防止することが出来、まず、安全である事、地面の条件を選ばない、人手を必要としないから工事のコストを大幅に下げられ、なお、仕事が早く、このような工具が多くの建設現場において一日でも早い使用状況の広がりが期待されているのが実情である。
【考案を実施するための最良の形態】
【００１３】  本考案に係るパイプ杭打込用工具Ｋは、工具本体１の長さは７００ｍｍ、直径６０ｍｍ程度の円筒形で、重量は８．０ｋｇを標準として、杭の長さが１８００ｍｍ程度までは固定ナット４、１４、２４のうちの下段だけに支持杆５を螺着して容易に打込みが出来る。この固定ナットをどの位置に選定するかは、地面の固さ、傾斜に対応して決められる事は勿論である。【００１４】  本考案に係る工具Ｋは、経済的な面、強度、重量を勘案して、一般的にはステンレス製、アルミニウム製、スチール製が多いが、その他強化プラスチック製、衝撃強さを有するポリカーボネートなどの使用を排除するものではない。【００１５】  支持杆５（打込みハンドル）に被せる弾力性カバーは、杭の打込み時に手の握り具合を馴染ませるための素材で、材質として天然ゴム又は合成ゴム、あるいは可撓性の軟質プラスチック（これらも広い意味での合成ゴムに属する）が用いられる。合成ゴムとしてはジエン系のブタジエンゴム、ニトリルゴム、ウレタンゴムなどである。
【実施例】
【００１６】  次に、図面との対比において実施例を述べれば、図１は本考案に係るパイプ杭打込用工具Ｋの正面図で、工具本体１は標準的に長さ７００ｍｍ、直径６０ｍｍ程度で重量は約８．０ｋｇで材質により肉圧は３．０ｍｍ〜５．０ｍｍである。上部は打ち込む杭の頭部を叩き込む重り２で、工具本体１に被せるように固定される。３は持ち運びの為の把手で、工具本体１の左右には支持杆５を螺着する固定ナット４（上段）、１４（中段）、２４（下段）が固定され、支持杆５にはゴムカバー７が被せてある。【００１７】  ６は支持杆５を取り付けるための螺子、８は重り９を負荷させるための雄螺子で、杭１０と地面の状態に対応して重量替えする。図２は図１の上半部分をやや拡大した説明正面図で各符号に関しては図１と同様である。工具本体１は、打ち込むパイプ杭の長さに応じてシリーズでセットしておく。標準的には工具Ｋは８．０ｋｇ程度で、従来のように一人がパイプ杭を支持しながら、もう一人が５．０ｋｇの大ハンマーで打ち込む速度とは、おおよそ同じ程度に打ち込む事が可能である。【００１８】  縷々、前記したが本考案に係る工具Ｋを使用することによって、怪我が減り、一人で単独作業ができるため工事のコストを大幅に下げることが出来、あらゆる地面の条件を選ぶことなくスピーディーに使用出来た。
【産業上の利用可能性】
【００１９】  あらゆる建設現場、仮囲い、柵の組み立てその他の工事においてパイプ杭打込によって柵を作ることは、事故の多発する場所では必須の作業で、事故の多さと、不経済さが叫ばれている現在、このパイプ杭打込用工具の存在は多く望まれているところで、直ちにこれを市場に提供することは公共的な見地からも重要な事と考えられる。
【図面の簡単な説明】
【００２０】
【図１】本考案に係るパイプ杭打込用工具の正面図
【図２】本考案に係るパイプ杭打込用工具の部分拡大正面図
【符号の説明】
【００２１】１    工具本体
２    上部重り
３    把手
４    上段固定ナット
５    支持杆
６    螺子部
７    ゴムカバー
８    雄螺子
９    重り
１０  打込みパイプ杭
１４  中段固定ナット
２４  下段固定ナット
Ｋ    パイプ杭打込用工具
【図１】
0003130252.tif 000003
【図２】
0003130252.tif 000004